(57)【要約】【課題】  商品の販売促進効果を向上させる販売促進システムを提供する。【解決手段】  表示端末は、表示部、記憶部、決済機能を有し、データサーバからアプリケーションプログラムをダウンロードし、記憶部に記憶する。表示端末は自動販売機から商品を購入すると、アプリケーションプログラムに従って、表示端末は自動販売機より前記商品の識別情報を受信し、表示部に商品の表示用テンプレートを表示し、当該表示用テンプレート上の定められた位置に、受信した商品の識別情報に対応するポイントマークを重ねて表示する。表示端末が、表示用テンプレートの識別情報と当該表示用テンプレートにおいて表示した商品の識別情報とを販売促進用情報として記憶部に蓄積し、販売促進用情報の送信指示条件に基づいて、蓄積された販売促進用情報をデータサーバに送信し、懸賞等に応募する。【選択図】  図１
2008186118.tif 000002
【特許請求の範囲】
【請求項１】
表示端末と自動販売機とを備えた販売促進システムであって、
前記自動販売機は、
前記表示端末と通信する端末間通信手段と、
商品の購入要求の入力に基づいて出力した商品の識別情報を前記表示端末へ送信する処理を行う商品情報送信処理手段と、を備え、
前記表示端末は、
前記自動販売機より前記商品の識別情報を受信する商品情報受信手段と、
画面に商品の表示用テンプレートを表示し、さらに当該表示用テンプレート上の定められた位置に、前記受信した商品の識別情報に対応するマークを重ねて表示する商品情報表示手段と、
前記表示用テンプレートの識別情報と、当該表示用テンプレートにおいて前記受信した商品の識別情報とを少なくとも含む販売促進用情報を販売促進用情報記憶部へ書き込む販売促進用情報蓄積手段と、
販売促進用情報の送信指示条件に基づいて、前記販売促進用情報記憶部に記録されている前記販売促進用情報を販売促進用情報登録サーバへ送信する販売促進用情報送信手段と、
を備えることを特徴とする販売促進システム。
【請求項２】
前記販売促進用情報登録サーバを更に備え、
当該販売促進用情報登録サーバは、
前記表示端末から前記販売促進用情報を受信する販売促進用情報受信手段と、
前記販売促進用情報に基づいて前記表示端末を保持する商品購入者に対する権利付与有無を判定する権利付与有無判定手段と、
前記権利付与有無判定手段にて権利有と判定した場合に、前記表示端末へ権利付与情報を送信する権利付与処理手段と、
を備えることを特徴とする請求項１に記載の販売促進システム。
【請求項３】
前記表示端末は、
画面に商品の表示用テンプレートを表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、
前記販売促進用情報記憶部は、送信指示条件を記憶し、
前記販売促進用情報送信手段は、前記販売促進用情報記憶部に蓄積された前記表示用テンプレートと前記商品の識別情報である販売促進用情報を読み込み、当該表示用テンプレートに表示された商品の識別情報の数が、前記送信指示条件で定められた数と同等もしくはそれ以上である場合には、当該販売促進用情報を前記販売促進用情報サーバに送信することを特徴とする請求項１記載の販売促進システム。
【請求項４】
前記表示端末は、
画面に商品の表示用テンプレートを表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、
前記販売促進用情報記憶部は、送信指示条件を記憶し、
前記販売促進用情報送信手段は、前記販売促進用情報記憶部に蓄積された前記表示用テンプレートと前記商品の識別情報である販売促進用情報を読み込み、当該表示用テンプレートに表示された商品が前記送信指示条件で定められた商品であって、当該表示用テンプレートに表示された商品の識別情報の数が、前記送信指示条件で定められた数と同等もしくはそれ以上である場合には、当該販売促進用情報を前記販売促進用情報サーバに送信することを特徴とする請求項１記載の販売促進システム。
【請求項５】
前記表示端末は、
商品ごとに定められた位置にマークを表示する表示用テンプレートを画面に表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、
前記販売促進用情報記憶部は、     を記憶し、
前記販売促進用情報送信手段は、前記表示用テンプレートに表示された前記商品の識別情報に対応するマークが、前記送信指示条件で定められた配列に表示される場合に、当該販売促進用情報を前記販売促進用情報サーバに送信することを特徴とする請求項１記載の販売促進システム。
【請求項６】
前記表示端末は、
前記販売促進情報蓄積手段によって蓄積された販売促進情報に基づいて、前記商品の識別情報に対応するマークを表示する位置の配列を定めた表示用テンプレートを画面に表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、
前記販売促進用情報記憶部は、送信指示条件を記憶し、
前記販売促進用情報送信手段は、前記表示用テンプレートに表示された前記商品の識別情報に対応するマークが、前記送信指示条件で定められた配列に表示される場合に、当該販売促進用情報を前記販売促進用情報サーバに送信することを特徴とする請求項１記載の販売促進システム。
【請求項７】
前記表示端末は、
前記商品の識別情報に対応するマークを表示する位置及び前記商品ごとに乗数を定めた表示用テンプレートを画面に表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、
前記販売促進用情報記憶部は、送信指示条件を記憶し、
前記販売促進用情報送信手段は、前記販売促進用情報記憶部に蓄積された前記表示用テンプレートと前記商品の識別情報である販売促進用情報を読み込み、当該表示用テンプレートに表示された商品の識別情報の数と商品ごとに定められた乗数とを乗じた合計の数が、前記送信指示条件で定められた数と同等もしくはそれ以上である場合に、当該販売促進用情報を前記販売促進用情報サーバに送信することを特徴とする請求項１記載の販売促進システム。
【請求項８】
前記表示端末は、
商品ごとに定められた位置にマークを表示し、前記マークの配列により付与される権利が定められた表示用テンプレートを画面に表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、
前記販売促進用情報記憶部は、送信指示条件を記憶し、
前記販売促進用情報送信手段は、前記表示用テンプレートに表示された前記商品の識別情報に対応するマークが、前記送信指示条件で定められた配列に表示される場合に、当該販売促進用情報を前記販売促進用情報サーバに送信することを特徴とする請求項１記載の販売促進システム。
【請求項９】
前記自動販売機は、
商品の購入要求の入力に基づいて、前記表示端末へ支払情報要求を送信する支払要求手段と、
前記表示端末から支払情報を受信する支払情報受信手段と、
前記支払情報に基づいて、決済処理を行う決済手段と、をさらに備え、
前記商品情報送信処理手段は、前記決済処理が完了すると前記商品の識別情報を表示端末へ送信することを特徴とする請求項１から８のいずれかに記載の販売促進システム。
【請求項１０】
前記端末間通信手段は、非接触ＩＣ通信手段であり、
前記表示端末は、非接触ＩＣメディア機能を内蔵した携帯電話であることを特徴とする請求項１から９のいずれかに記載の販売促進システム。
【請求項１１】
自動販売機が、商品の購入要求の入力に基づいて、前記商品の識別情報を表示端末へ送信する第１のステップと、
前記表示端末が、前記自動販売機より前記商品の識別情報を受信する第２のステップと、
前記表示端末の画面に商品の表示用テンプレートを表示し、さらに当該表示用テンプレート上の定められた位置に、前記受信した商品の識別情報に対応するマークを重ねて表示する第３のステップと、
前記表示端末が、前記表示用テンプレートの識別情報と、当該表示用テンプレートにおいて前記表示した商品の識別情報とを少なくとも含む販売促進用情報を販売促進用情報記憶部へ書き込む第４のステップと、
前記表示端末が、販売促進用情報の送信指示に基づいて、前記販売促進用情報記憶部に記録されている前記販売促進用情報を販売促進用情報登録サーバへ送信する第５のステップと、
を有することを特徴とする販売促進方法。
【請求項１２】
前記自動販売機が、商品の購入要求の入力に基づいて前記表示端末へ支払情報要求を送信するステップと、
前記自動販売機が前記表示端末から支払情報を受信するステップと、
前記自動販売機が前記支払情報に基づいて決済処理を行うステップと、
前記決済処理が完了した際、前記自動販売機が前記商品の識別情報を表示端末へ送信するステップと
を有することをさらに特徴とする請求項１１に記載の販売促進方法。
【請求項１３】
自動販売機と、販売促進用情報登録サーバと、通信可能であり、表示部と記憶部を備える表示端末の前記記憶部に記憶されるプログラムであって、
前記表示端末を、
前記自動販売機より前記商品の識別情報を受信する商品情報受信手段と、
前記表示部に商品の表示用テンプレートを表示し、さらに当該表示用テンプレート上の定められた位置に、前記受信した商品の識別情報に対応するマークを重ねて表示する商品情報表示手段と、
前記表示用テンプレートの識別情報と、当該表示用テンプレートにおいて前記表示した商品の識別情報とを少なくとも含む販売促進用情報を販売促進用情報記憶部へ書き込む販売促進用情報蓄積手段と、
販売促進用情報の送信指示に基づいて、前記販売促進用情報記憶部に記録された前記販売促進用情報を販売促進用情報登録サーバへ送信する販売促進用情報送信手段、
として動作させるプログラム。
【請求項１４】
請求項１３に記載されたプログラムを記録した記録媒体。
【請求項１５】
自動販売機と、販売促進用情報登録サーバと、通信可能であり、表示部と記憶部を備える表示端末の前記記憶部に記憶されるプログラムであって、
前記表示端末を、
自動販売機からの支払い要求を受けて、支払いに必要な情報を自動販売機に送信する支払情報送信手段と、
自動販売機より、支払い処理の完了の後に商品の識別情報を受信する商品情報受信手段と、
前記表示部に商品の表示用テンプレートを表示し、さらに当該表示用テンプレート上の定められた位置に、前記受信した商品の識別情報に対応するマークを重ねて表示する商品情報表示手段と、
前記表示用テンプレートの識別情報と、当該表示用テンプレートにおいて前記表示した商品の識別情報とを少なくとも含む販売促進用情報を販売促進用情報記憶部へ書き込む販売促進用情報蓄積手段と、
販売促進用情報の送信指示に基づいて、前記販売促進用情報記憶部に記録された前記販売促進用情報を販売促進用情報登録サーバへ送信する販売促進用情報送信手段、
として動作させるプログラム。
【請求項１６】
請求項１５に記載されたプログラムを記録した記録媒体。
【発明の詳細な説明】
【技術分野】
【０００１】
本発明は、自動販売機と通信可能で、決済機能を有する表示端末を用いて商品を購入した際に表示端末に付与する商品の識別情報を利用して商品の販売を促進する販売促進システムに関する。
【背景技術】
【０００２】
従来の企業の販売促進活動として、例えば、商品を購入した際に、商品に貼られたポイントシールを所定の台紙に貼付し、企業等に応募することにより、商品購入者に景品やサービスのプレゼントを付与することが行われていた。
【０００３】
一方、ネットワーク技術や電子商取引技術等の発達により、従来はスタンドアロンであった自動販売機を電子マネーに対応させ、ネットワークに接続することで、電子マネー決済で商品を販売することが可能となった。
【０００４】
特許文献１では、ＩＣカードを利用して商品が購入された際にＩＣカードにポイントが送信され、自動販売機はＩＣカードに記憶されたメールアドレスとポイント情報をサーバに送信し、サーバは抽選等を行い当選者にメールを送信する懸賞応募システムが記載されている。
【特許文献１】特開２００５−３０９５４４号公報
【発明の開示】
【発明が解決しようとする課題】
【０００５】
しかしながら、従来のポイントシールを貼付した台紙による販売促進活動では、ポイントシールや台紙の印刷物のコスト、台紙の集計や確認作業にかかる人手やコスト等が多大であるという問題があった。
【０００６】
また、特許文献１に記載された発明は、全利用ユーザに同一のサービスを提供するものであり、ユーザ個人ごとの嗜好を考慮して応募条件を生成するものではなく、また、ユーザごとの商品嗜好性等の情報を蓄積することを目的とするものではなかった。このため、特許文献１に記載されたポイント収集方法では効果的な販売促進効果が得られないという問題があった。
【０００７】
本発明は、以上の点に鑑みてなされたものであり、自動販売機と通信可能で決済機能を有する表示端末に、ポイント表示、ユーザごとのポイント情報の蓄積、取得等を行うアプリケーションプログラムを記憶し、動作させることによって、ユーザが操作の煩雑さを意識することなく、販売促進効果を向上させる販売促進システム、販売促進方法、プログラム及びプログラムを記録した記録媒体を提供することを目的とする。
【課題を解決するための手段】
【０００８】
前述した目的を達成するために本発明は、表示端末と自動販売機とを備えた販売促進システムであって、前記自動販売機は、前記表示端末と通信する端末間通信手段と、商品の購入要求の入力に基づいて出力した商品の識別情報を前記表示端末へ送信する処理を行う商品情報送信処理手段と、を備え、前記表示端末は、前記自動販売機より前記商品の識別情報を受信する商品情報受信手段と、画面に商品の表示用テンプレートを表示し、さらに当該表示用テンプレート上の定められた位置に、前記受信した商品の識別情報に対応するマークを重ねて表示する商品情報表示手段と、前記表示用テンプレートの識別情報と、当該表示用テンプレートにおいて前記受信した商品の識別情報とを少なくとも含む販売促進用情報を販売促進用情報記憶部へ書き込む販売促進用情報蓄積手段と、販売促進用情報の送信指示に基づいて、前記販売促進用情報記憶部に記録されている前記販売促進用情報を販売促進用情報登録サーバへ送信する販売促進用情報送信手段と、を備えることを特徴とする販売促進システムである。
【０００９】
ここで、商品の識別情報に対応するマークとはポイントマーク等であり、表示端末の表示画面に表示された表示用テンプレートにマークが重ねて表示され、商品の識別情報が販売促進用情報として蓄積されると、表示端末は、販売促進用情報の送信指示によって販売促進用情報をサーバに送信する。即ち、ポイントマークを蓄積して、懸賞等に応募することに相当する。
【００１０】
本発明は、前記販売促進用情報登録サーバを更に備え、当該販売促進用情報登録サーバは、前記表示端末から前記販売促進用情報を受信する販売促進用情報受信手段と、前記販売促進用情報に基づいて前記表示端末を保持する商品購入者に権利付与有無を判定する権利付与有無判定手段と、前記権利付与有無判定手段にて有と判定した場合に、前記表示端末へ権利付与情報を送信する権利付与処理手段と、を備えることを特徴とする請求項１に記載の販売促進システムである。
【００１１】
本発明は、前記表示端末は、画面に商品の表示用テンプレートを表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、前記販売促進用情報記憶部は、送信指示条件を記憶し、前記販売促進用情報送信手段は、前記販売促進用情報記憶部に蓄積された前記表示用テンプレートと前記商品の識別情報である販売促進用情報を読み込み、当該表示用テンプレートに表示された商品の識別情報の数が、前記送信指示条件で定められた数と同等もしくはそれ以上である場合には、当該販売促進用情報を前記販売促進用情報サーバに送信することを特徴とする請求項１記載の販売促進システムである。
【００１２】
本発明は、前記表示端末は、画面に商品の表示用テンプレートを表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、前記販売促進用情報記憶部は、送信指示条件を記憶し、前記販売促進用情報送信手段は、前記販売促進用情報記憶部に蓄積された前記表示用テンプレートと前記商品の識別情報である販売促進用情報を読み込み、当該表示用テンプレートに表示された商品が前記送信指示条件で定められた商品であって、当該表示用テンプレートに表示された商品の識別情報の数が、前記送信指示条件で定められた数と同等もしくはそれ以上である場合には、当該販売促進用情報を前記販売促進用情報サーバに送信することを特徴とする請求項１記載の販売促進システムである。
【００１３】
本発明は、前記表示端末は、商品ごとに定められた位置にマークを表示する表示用テンプレートを画面に表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、前記販売促進用情報記憶部は、送信指示条件を記憶し、前記販売促進用情報送信手段は、前記表示用テンプレートに表示された前記商品の識別情報に対応するマークが、前記送信指示条件で定められた配列に表示される場合に、当該販売促進用情報を前記販売促進用情報サーバに送信することを特徴とする請求項１記載の販売促進システムである。
【００１４】
本発明は、前記表示端末は、前記販売促進情報蓄積手段によって蓄積された販売促進情報に基づいて、前記商品の識別情報に対応するマークを表示する位置の配列を定めた表示用テンプレートを画面に表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、前記販売促進用情報記憶部は、送信指示条件を記憶し、前記販売促進用情報送信手段は、前記表示用テンプレートに表示された前記商品の識別情報に対応するマークが、前記送信指示条件で定められた配列に表示される場合に、当該販売促進用情報を前記販売促進用情報サーバに送信することを特徴とする請求項１記載の販売促進システムである。
【００１５】
本発明は、前記表示端末は、前記商品の識別情報に対応するマークを表示する位置及び前記商品ごとに乗数を定めた表示用テンプレートを画面に表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、前記販売促進用情報記憶部は、送信指示条件を記憶し、前記販売促進用情報送信手段は、前記販売促進用情報記憶部に蓄積された前記表示用テンプレートと前記商品の識別情報である販売促進用情報を読み込み、当該表示用テンプレートに表示された商品の識別情報の数と商品ごとに定められた乗数とを乗じた合計の数が、前記送信指示条件で定められた数と同等もしくはそれ以上である場合に、当該販売促進用情報を前記販売促進用情報サーバに送信することを特徴とする請求項１記載の販売促進システムである。
【００１６】
本発明は、前記表示端末は、商品ごとに定められた位置にマークを表示し、前記マークの配列により付与される権利が定められた表示用テンプレートを画面に表示し、前記商品の識別情報を受信した順番に、当該テンプレート上の定められた位置に、前記受信した商品の識別情報に対応するマークを重ねて表示する処理を、前記商品情報表示手段に実行させる商品表示プログラムを記憶する商品表示プログラム記憶手段を備え、前記販売促進用情報記憶部は、送信指示条件を記憶し、前記販売促進用情報送信手段は、前記表示用テンプレートに表示された前記商品の識別情報に対応するマークが、前記送信指示条件で定められた配列に表示される場合に、当該販売促進用情報を前記販売促進用情報サーバに送信することを特徴とする請求項１記載の販売促進システムである。
【００１７】
本発明は、前記自動販売機は、商品の購入要求の入力に基づいて、前記表示端末へ支払情報要求を送信する支払要求手段と、前記表示端末から支払情報を受信する支払情報受信手段と、前記支払情報に基づいて、決済処理を行う決済手段と、をさらに備え、前記商品情報送信処理手段は、前記決済処理が完了すると前記商品の識別情報を表示端末へ送信することを特徴とする請求項１から８のいずれかに記載の販売促進システムである。
【００１８】
前記端末間通信手段は、非接触ＩＣ通信手段であり、表示端末は、非接触ＩＣメディア機能を内蔵した携帯電話であることを特徴とする請求項１から９のいずれかに記載の販売促進システム。
【００１９】
本発明は、自動販売機が、商品の購入要求の入力に基づいて、前記商品の識別情報を表示端末へ送信する第１のステップと、前記表示端末が、前記自動販売機より前記商品の識別情報を受信する第２のステップと、前記表示端末の画面に商品の表示用テンプレートを表示し、さらに当該表示用テンプレート上の定められた位置に、前記受信した商品の識別情報に対応するマークを重ねて表示する第３のステップと、前記表示端末が、前記表示用テンプレートの識別情報と、当該表示用テンプレートにおいて前記表示した商品の識別情報とを少なくとも含む販売促進用情報を販売促進用情報記憶部へ書き込む第４のステップと、前記表示端末が、販売促進用情報の送信指示に基づいて、前記販売促進用情報記憶部に記録されている前記販売促進用情報を販売促進用情報登録サーバへ送信する第５のステップと、を有することを特徴とする販売促進方法である。
【００２０】
本発明は、前記自動販売機が、商品の購入要求の入力に基づいて前記表示端末へ支払情報要求を送信するステップと、前記自動販売機が前記表示端末から支払情報を受信するステップと、前記自動販売機が前記支払情報に基づいて決済処理を行うステップと、前記決済処理が完了した際、前記自動販売機が前記商品の識別情報を表示端末へ送信するステップとを有することをさらに特徴とする請求項１１に記載の販売促進方法である。
【００２１】
本発明は、自動販売機と、販売促進用情報登録サーバと、通信可能であり、表示部と記憶部を備える表示端末の前記記憶部に記憶されるプログラムであって、前記表示端末を、前記自動販売機より前記商品の識別情報を受信する商品情報受信手段と、前記表示部に商品の表示用テンプレートを表示し、さらに当該表示用テンプレート上の定められた位置に、前記受信した商品の識別情報に対応するマークを重ねて表示する商品情報表示手段と、前記表示用テンプレートの識別情報と、当該表示用テンプレートにおいて前記表示した商品の識別情報とを少なくとも含む販売促進用情報を販売促進用情報記憶部へ書き込む販売促進用情報蓄積手段と、販売促進用情報の送信指示に基づいて、前記販売促進用情報記憶部に記録された前記販売促進用情報を販売促進用情報登録サーバへ送信する販売促進用情報送信手段、として動作させるプログラムである。
【００２２】
本発明は、請求項１３に記載されたプログラムを記録した記録媒体である。
【００２３】
本発明は、自動販売機と、販売促進用情報登録サーバと、通信可能であり、表示部と記憶部を備える表示端末の前記記憶部に記憶されるプログラムであって、前記表示端末を、自動販売機からの支払い要求を受けて、支払いに必要な情報を自動販売機に送信する支払情報送信手段と、自動販売機より、支払い処理の完了の後に商品の識別情報を受信する商品情報受信手段と、前記表示部に商品の表示用テンプレートを表示し、さらに当該表示用テンプレート上の定められた位置に、前記受信した商品の識別情報に対応するマークを重ねて表示する商品情報表示手段と、前記表示用テンプレートの識別情報と、当該表示用テンプレートにおいて前記表示した商品の識別情報とを少なくとも含む販売促進用情報を販売促進用情報記憶部へ書き込む販売促進用情報蓄積手段と、販売促進用情報の送信指示に基づいて、前記販売促進用情報記憶部に記録された前記販売促進用情報を販売促進用情報登録サーバへ送信する販売促進用情報送信手段、として動作させるプログラムである。
【００２４】
本発明は、請求項１５に記載されたプログラムを記録した記録媒体である。
【発明の効果】
【００２５】
本発明によれば、商品購入者が操作の煩雑さを意識することなく、ポイントを表示、蓄積でき、そのポイントを利用して商品の販売促進効果を向上させることが可能である。
【発明を実施するための最良の形態】
【００２６】
以下に、添付図面を参照しながら、本発明に係る販売促進システムの好適な実施形態について詳細に説明する。なお、以下の説明および添付図面において、略同一の機能構成を有する構成要素については、同一の符号を付することにより重複説明を省略することにする。
【００２７】
図１は、本発明の本実施の形態に係る販売促進システム１の概略システム構成図である。
【００２８】
図１に示すように、販売促進システム１は、ネットワーク２を介して通信可能に接続された、携帯端末３、自動販売機５、データサーバ７等から構成される。
【００２９】
ネットワーク２は、インターネットやＶＰＮ（Virtual Private Network）、ＬＡＮ（Local Area Network）などのネットワークであり、有線、無線を問わない。また、ネットワーク２には、携帯端末３また自動販売機５と通信し、電子マネー決済や電子クレジット認証などのデータ処理である電子決済処理を行う電子決済サーバ（図示外）が接続されていることとする。ここで、データサーバ７が電子決済処理を行う処理部を備えることとしても良い。
【００３０】
携帯端末３（表示端末）は、電子決済機能を有する表示端末であり、携帯コンピュータ、携帯型電話端末（携帯電話端末あるいはＰＨＳ（Personal Handy-phone System）端末）やＰＤＡ（Personal Digital Assistant）などである。電子決済機能は、上記電子決済サーバと通信して電子決済を行う。
【００３１】
図２は、携帯端末３のブロック構成図である。
【００３２】
携帯端末３は、制御部３１、記憶部３２、通信部３３、商品購入部３４、入力部３６、表示部３７等から構成される。
【００３３】
制御部３１（販売促進用情報蓄積手段）は、ＣＰＵ（Central Processing Unit）、ＲＯＭ（Read Only Memory）、ＲＡＭ（Random Access Memory）等で構成される。
【００３４】
ＣＰＵは、記憶部、ＲＯＭ、記録媒体等に格納されるプログラムをＲＡＭ上のワークメモリ領域に呼び出して実行し、システムバスを介して接続された各部を駆動制御し、後述する各種処理を実現する。また、これらのプログラムを、通信回線によってコンピュータに配信し、この配信を受けたコンピュータに設けられたＣＰＵが当該プログラムを実行するようにしても良い。
【００３５】
記憶部３２（販売促進用情報記憶部、商品表示プログラム記憶手段）は、ＨＤＤ（ハードディスクドライブ）やメモリであり、データサーバ７からダウンロードし、制御部３１が実行するアプリケーションプログラム、送信指示条件、データ（販売促進用情報等）、ＯＳ（オペレーティングシステム）等が格納される。
【００３６】
アプリケーションプログラムコードは、制御部３１により必要に応じて読み出されてＲＡＭに移され、ＣＰＵに読み出されて実行される。
【００３７】
通信部３３（商品情報受信手段、販売促進用情報送信手段）は通信制御装置を有し、ネットワーク２を介してデータサーバ７との通信を媒介する通信インタフェースであり、通信制御を行う。
【００３８】
商品購入部３４は、自動販売機５から商品を購入する際に自動販売機５と支払情報等のデータ送受信を行い電子決済を行うものであり、電子決済に用いる非接触ＩＣメディアである非接触型ＩＣカード３５を有する。また、商品購入部３４は、電子決済に関する情報の他に商品識別情報等を受信するのにも使用される。
【００３９】
入力部３６は、データの入力を行うキーボタン等の装置である。
【００４０】
表示部３７（商品情報表示手段）はディスプレイ等である。
【００４１】
図３は自動販売機５の概略ブロック構成図である。
【００４２】
自動販売機５は、商品販売システム部５１と商品販売装置６１とから構成される。商品販売装置６１は、商品を蓄え、商品購入が要求されると、商品販売システム部５１に購入対象となる商品の価格を通知し、決済が確認されると、商品を放出する装置である。
【００４３】
商品販売システム部５１は、ＩＣカードなどのＩＣメディアと非接触で情報通信を行なう、非接触ＩＣ通信手段である非接触ＩＣカードリーダ／ライタ（Ｒ／Ｗ）５３、制御部５５、通信部５７、蓄積部５９等から構成される。
【００４４】
非接触ＩＣカードＲ／Ｗ５３（端末間通信手段）は、携帯端末３のＩＣカード３５からＩＣカードのユーザＩＤなどの識別情報を読出し、購入した商品の識別情報、決済情報等をＩＣカード３５に送信する。すなわち、非接触ＩＣカードＲ／Ｗ５３は、商品の購入要求の入力に基づいて携帯端末３へ支払情報要求を送信する支払要求手段と、携帯端末３から支払情報（ＩＣカード３５の識別情報等を含む）を受信する支払情報受信手段との機能を有することとする。
【００４５】
制御部５５は、非接触ＩＣカードリーダ／ライタ（Ｒ／Ｗ）５３、通信部５７、蓄積部５９の処理制御を行う。また、制御部５５は、携帯端末３からの支払情報に基づいて電子決済処理を行う機能を備えることとしても良い。
【００４６】
蓄積部５９は、制御部５５が実行するプログラムや、商品購入者の識別情報（ユーザＩＤ）とその商品購入者が購入した商品の識別情報（商品ＩＤなど）を記憶する。
【００４７】
通信部５７（商品情報送信処理手段）は、自動販売機５とデータサーバ７との通信制御を行う。
【００４８】
データサーバ７は販売促進用情報登録サーバであり、コンピュータを用いて実現し、制御部７１と記憶部７３を有する。
【００４９】
図４は、記憶部７３に記憶されるデータ情報とプログラムを示す図である。記憶部７３は、ユーザ情報８１、販売促進用情報８２、権利付与情報８３、アプリケーションプログラム８５等を記憶する。ユーザ情報８１は、携帯端末３のユーザ、即ち自動販売機５での商品購入者がアプリケーションプログラムをダウンロードする際に入力したユーザに関する情報等である。販売促進用情報８２は、ユーザ情報８１に登録されたユーザの購入商品やポイント情報といった販売促進用情報である。また、記憶部７３は、表示端末へ送信するための送信指示条件を記憶する。
【００５０】
アプリケーションプログラム８５には、携帯端末３からユーザ情報８１を受信する処理や携帯端末３あるいは自動販売機５から販売促進用情報を送受信する通信プログラム、携帯端末３の画面にポイントやテンプレートを表示する表示プログラム、商品購入者にプレゼントなどの権利付与有無を判定するプログラム等がある。
【００５１】
データサーバ７の制御部７１（販売促進用情報受信手段、権利付与処理手段、権利付与有無判定手段）は、記憶部７３に記憶されたアプリケーションプログラム８５に基づいて携帯端末３或いは自動販売機５との通信処理、販売促進用情報の取得、蓄積、権利付与有無の判定処理等を行う。
【００５２】
尚、後述するように、アプリケーションプログラム８５やアプリケーションプログラム８５を実行するために必要なデータ情報（販売促進用情報８２等）は、データサーバ７より携帯端末３にダウンロードされ、携帯端末３上で動作される。このアプリケーションプログラムはネットワーク２を介して流通されてもよいし、記録媒体に記録して流通させることもできる。
【００５３】
次に、本販売促進システム１の動作について説明する。
【００５４】
図５は、販売促進システム１の動作を示すシーケンス図である。
【００５５】
携帯端末３は、データサーバ７に対してユーザ登録に必要なユーザ情報を送信し、自動販売機５にて商品を購入した際にポイント情報を受信、蓄積し、応募する処理を行うアプリケーションプログラムのダウンロードを要求する（ステップＳ１１１）。データサーバ７はユーザ情報を記憶部７３に登録し（ステップＳ１１２）、携帯端末３に対してアプリケーションプログラムを送信し（ステップＳ１１３）、携帯端末３は送信されたアプリケーションプログラムを記憶部３２に記憶する。
【００５６】
次に、携帯端末３を所有するユーザが自動販売機５で商品を購入する場合、自動販売機５の商品販売装置６１は商品購入要求を受け付け（ステップＳ１２１）、商品販売システム部５１に対して購入対象となる商品の価格等を通知し、決済処理を要求する（ステップＳ１２２）。商品販売システム部５１の非接触ＩＣカードＲ／Ｗ５３は、決済処理要求を受けて、ＩＣカード３５に対して、ＩＣカード３５の識別情報を含む支払情報の要求を行い、携帯端末３から支払情報を読み出す。そして、制御部５５は、支払情報の中に含まれるＩＣカード３５の情報を取得し（ステップＳ１２３）、ＩＣカード３５の識別情報を認証すると、商品購入による支払金額を減算した結果を含む決済結果に関する情報を決済結果情報として生成する。非接触ＩＣカードＲ／Ｗ５３は、決済結果情報を携帯端末３に書込み、携帯端末３から書込み完了を受信することで決済処理を行う（ステップＳ１２４）。制御部５５は、決済処理が完了したことを商品販売装置６１に通知する（ステップＳ１２５）。商品販売装置６１はユーザの購入希望商品を放出し（ステップＳ１２６）、どの商品を放出したかといった販売情報を商品販売システム部５１に送信する（ステップＳ１２７）。商品販売システム部５１の非接触ＩＣカードＲ／Ｗ５３は、決済処理の完了の返り値としてユーザが購入した商品の商品識別情報を携帯端末３に送信する（ステップＳ１２８）。携帯端末３は商品情報の識別情報を受信すると、表示部３７は、識別情報に対応するマークを表示する。そして、制御部３１は、商品情報の識別情報を販売促進用情報として記憶部３２に記憶する（ステップＳ１２９）。また、商品販売装置６１は、上記商品識別情報をデータサーバ７に送信する（ステップＳ１３０）。データサーバ７は、受信した商品識別情報を販売促進用情報８２に記憶し、嗜好分析のための情報として利用するようにしても良い。
【００５７】
次に、携帯端末３が、蓄積された販売促進用情報が応募条件を満たすことを確認すると、通信部３３がデータサーバ７に対して販売促進用情報を送信し、懸賞等に応募する（ステップＳ１３１）。データサーバ７の制御部７１は、権利付与判定プログラムを動作させ、送信された販売促進用情報に基づいて権利付与（懸賞の商品付与等）の有無の判定処理を行い（ステップＳ１３２）、その結果を携帯端末３に通知する（ステップＳ１３３）。
【００５８】
次に、図５のシーケンス図に示された各処理を詳細に説明する。
（ステップＳ１１１〜ステップＳ１１３）
携帯端末３は、データサーバ７にユーザ登録に必要なユーザ情報を送信し、自動販売機５にて商品を購入した際にポイント情報を受信、蓄積し、応募する処理を行うアプリケーションプログラムをデータサーバ７からダウンロードする。
【００５９】
図６は、携帯端末３からの登録、ダウンロード処理の流れを示すフローチャートであり、図７は、登録処理における携帯端末３の表示部３７に表示された画面の一例を示す図である。
【００６０】
携帯端末３の制御部３１は、ユーザの登録処理を行うための指定サイトに接続する（ステップＳ２０１）。例えば、ユーザが「Ｘ商品」を指定本数購入することによって「Ｘ商品」を１本獲得するキャンペーンに参加する場合、図７（ａ）に示す表示画面において、登録ページボタン５１１を選択すると、携帯端末３はキャンペーンに参加するユーザの登録処理を行うサイトに接続され、図７（ｂ）に示すユーザ登録画面が表示部３７に表示される。
【００６１】
図７（ｂ）に示す画面においてユーザ登録に必要な情報、即ち携帯端末３を識別するために必要な情報、例えば、名前、ニックネーム、携帯端末３の登録メールアドレス、電話番号、ＩＣカード３５の識別番号等の入力がされ、送信ボタン５１２が選択されると、携帯端末３の制御部３１は、入力された情報をユーザ情報としてデータサーバ７に送信する（ステップＳ２０２）。
【００６２】
データサーバ７によりユーザ情報が確認、登録されると、携帯端末３の制御部３１はデータサーバ７からアプリケーションプログラムをダウンロードし（ステップＳ２０３）、記憶部３２に記憶する。携帯端末３の表示部３７には、図７（ｃ）に示す画面が表示され、ボタン５１３が選択されると、制御部３１はアプリケーションプログラムを起動する。
【００６３】
制御部３１は、必要であれば、アプリケーションプログラムに必要なデータの入力を受け付け、初期設定登録を行う（ステップＳ２０４）。例えば、ポイント獲得の対象となるキャンペーン参加商品が複数あり、ユーザが商品を指定入力する場合などがある。また、表示用テンプレートが複数あり、ユーザにより選択可能である場合は（ステップＳ２０５）、制御部３１はユーザによるテンプレートの選択を受け付け（ステップＳ２０６）、テンプレートを表示部３７に表示する（ステップＳ２０７）。
【００６４】
図８は、携帯端末３の表示部３７に表示されたテンプレート９１の一例を示す図である。
（ステップＳ１２１〜ステップＳ１２９）
次に、ユーザが商品を購入し、ポイント情報を獲得し、懸賞に応募する場合における販売促進システム１の動作について詳細に説明する。
【００６５】
図９は、ポイント獲得から懸賞に応募するまでの携帯端末３の制御部３１の処理を示すフローチャートである。この処理は、携帯端末３の記憶部３２に記憶されたアプリケーションプログラムを制御部３１が読み出すことによって行われる。
【００６６】
携帯端末３のユーザが自動販売機５に対して商品を購入要求し、携帯端末３を用いて決済を行う。携帯端末３の制御部３１は、自動販売機５の商品販売システム部に対して決済要求を行い（ステップＳ３０１）、決済処理を行う（ステップＳ３０２）。ＩＣカード３５の識別情報が自動販売機５に読み出され、決済処理が行われる。
【００６７】
決済処理が完了すると、制御部３１は、自動販売機５の商品販売システム部５１から送信された商品の識別情報を受信し（ステップＳ３０３）、受信した商品の識別情報に対応するテンプレート上の位置に、当該商品識別情報に対応するポイントマークを重ねて表示する（ステップＳ３０４）。アプリケーションプログラムによって、図８に示す表示用テンプレート上には、商品の識別情報に基づいてポイントマークを表示する位置が定められている。制御部３１は商品販売システム部５１から受信した商品の識別情報に対応して定められたテンプレート上の位置に、当該商品識別情報に対応するポイントマークを重ねて表示する。
【００６８】
図１０は、ポイントマークが表示されたテンプレートの一例を示す図である。例えば、図１０に示すテンプレートにおいて、実線部９３は既に獲得し、画面上に表示されたポイントマークを示し、破線部９４はまだ獲得されていないポイントマークを示す。
【００６９】
次に、制御部３１は、表示用テンプレートとそのテンプレートに表示した商品の識別情報とに関する情報を販売促進用情報として記憶し、記憶部３２に蓄積する（ステップＳ３０５）。記憶部３２には、アプリケーションプログラムと共にデータサーバ７よりダウンロードされた懸賞への送信指示条件が記憶されている。制御部３１は、携帯端末３によって商品が購入される際に蓄積された販売促進用情報が、送信指示条件を満たしているかどうかを判定し（ステップＳ３０６）、満たしていない場合は終了し（ステップ３０８）、蓄積された販売促進用情報が、送信指示条件を満たす場合は、応募処理を行う（ステップＳ３０７）。
【００７０】
図１１は応募ボタンが表示されたテンプレートの一例を示す図である。例えば、懸賞への送信指示条件がポイントマークを「１２個」集めることである場合、商品を購入し、ポイントマークが「１２個」獲得すると、図１１に示すテンプレート上に応募ボタン９５が表示され、応募ボタン９５が選択されると応募処理が開始する。これらの表示、処理はデータサーバ７からダウンロードし、記憶部３２に格納したアプリケーションプログラムに基づいて、制御部３１が行うものである。
【００７１】
尚、例えば、応募ボタン９５が表示された場合でも、その時に応募処理を行わず、後にアプリケーションプログラムを再度起動し、応募処理を行うことも可能である。
（ステップＳ１３１〜ステップＳ１３３）
図１２は販売促進システム１による応募処理の流れを示すフローチャートである。
【００７２】
携帯端末３の制御部３１は、表示部３７に応募画面を表示する（ステップＳ４０１）。応募に対して、応募情報が必要である場合にはユーザによる情報入力を受け付け（ステップＳ４０２）、記憶部３２に蓄積された当該応募に関する販売促進用情報をデータサーバ７に送信する（ステップＳ４０３）。例えば、懸賞によっては、プレゼントを自宅等に送付する場合があり、ステップＳ４０２において自宅住所等の応募情報が入力され、制御部３１は販売促進用情報と共にデータサーバ７に送信する。
【００７３】
データサーバ７は、送信された販売促進用情報を受信し、記憶部７３に記憶する（ステップＳ４０４）。データサーバ７の制御部７１は、受信した販売促進用情報を確認し、権利付与有無判定処理、即ち懸賞の賞品やサービス等をユーザに与えるかどうかの判定等を行い（ステップＳ４０５）、判定結果を携帯に送信する（ステップＳ４０６）。携帯端末３の制御部３１は、判定結果を受信し（ステップＳ４０７）、判定結果の表示部３７への表示や判定結果を記憶部３２に記憶するなどの処理を行う。
【００７４】
ユーザに付与される権利としては、例えば、懸賞対象商品をもう一つプレゼントする、抽選による商品の提供、別プレゼント商品の自宅への送付といった権利が考えられる。
【００７５】
以上のように、本販売促進システム１によれば、携帯端末３にアプリケーションプログラムをダウンロードすることによって、携帯端末３を用いて商品を購入した際にポイントが記憶、蓄積され、ユーザは操作の煩雑さを意識することなく応募処理が容易に行われる。応募を受ける企業にとっても、データサーバ７に販売促進用情報が送られ、その情報を基にデータサーバ７が権利付与有無を判定することから、作業量やコスト等が大幅に削減できる。
【００７６】
また、ユーザの販売促進用情報が蓄積され、データサーバ７に送信されることから、ユーザの嗜好等に関する情報を取得することができ、商品を販売する企業等は販売促進用情報を販売促進業務や商品開発業務等に役立てることが可能である。
【００７７】
以下に、携帯端末３にダウンロードされたアプリケーションプログラムによって動作され、携帯端末３に表示される表示用テンプレートや応募条件に関する様々な実施例について説明する。
【００７８】
本発明の販売促進システムの第２の実施形態は、あるメーカーの商品など指定の数量を購入することによって応募するものである。以下、「応募する」とは、携帯端末３に蓄積された販売促進用情報をデータサーバに送信することとする。
【００７９】
図１３は、第２の実施形態における表示用テンプレートの一例を示す図である。
【００８０】
図１３に示す表示用テンプレートでは、例えば、「Ｎメーカー」の扱う「Ａ商品」「Ｂ商品」「Ｃ商品」「Ｄ商品」を購入した場合にポイントマークが表示され、商品の種類に関係なく、購入した商品の合計数が指定本数である「１２本」以上となった場合、即ち、ポイントマークが１２個集まった場合に応募するものである。
【００８１】
つまり、記憶部３２は、例えば、特定のメーカーの扱う商品１２本以上という条件を送信指示条件として記憶する。そして、制御部３１は、記憶部３２に記憶された表示用テンプレートと商品の識別情報を販売促進用情報として読み込み、表示用テンプレートに表示された商品が送信指示条件で定められた商品（特定のメーカーの扱う商品）であって、表示用テンプレートに表示された商品の識別情報の数が、送信指示条件で定められた数（１２本以上）と同等もしくはそれ以上である場合には、販売促進用情報をデータサーバ７に送信する。
【００８２】
データサーバ７は、携帯端末３に蓄積され、送信される販売促進用情報から、ユーザは「Ｎメーカー」のどの商品が最も好みであるかといった嗜好分析を行うことができる。
【００８３】
次に第３の実施形態について説明する。本発明の販売促進システムの第３の実施形態は、あるメーカーの指定商品を指定の数量だけ購入することによって応募できるものである。
【００８４】
図１４は、第３の実施形態における表示用テンプレートの一例を示す図である。
【００８５】
例えば、「Ｘ商品」が販売を促進させたいキャンペーン商品だとすると、図１４に示す表示用テンプレートのように、それらを含めた表示用テンプレートを提供することによって「Ｘ商品」の販売を促進することができる。記憶部３２に、「「Ｘ商品」、「○商品」、「□商品」を「４本」ずつ購入する」という送信指示条件を記憶しておき、蓄積された販売促進用情報がその応募条件を満たすと応募するものである。
【００８６】
つまり、記憶部３２は、例えば、「「Ｘ商品」、「○商品」、「□商品」を「４本」ずつ」という送信指示条件を記憶し、制御部３１は、表示用テンプレートに表示された商品の識別情報に対応するマークが、送信指示条件で定められた配列どおり表示される場合に、販売促進用情報をデータサーバ７に送信する。
【００８７】
また、図１４に示す表示用テンプレートにおいて、「○商品」や「□商品」をユーザに指定させることで（指定操作は、図６に示すステップＳ２０４等で行う）、ユーザの嗜好情報を収集することが可能である。
【００８８】
また、ポイント獲得の対象商品を全てユーザに指定させることにより、ユーザの嗜好を取得することも可能である。
【００８９】
次に第４の実施形態について説明する。本発明の販売促進システムの第４の実施形態は、ポイントマーク配列が定められる表示用テンプレートを表示し、特定の配列が完成された場合に応募するものである。ここで特定の配列とは、例えば、ビンゴゲームのように縦、横、斜め等のポイントマークが獲得された場合とすることができる。
【００９０】
図１５は、第４の実施形態における表示用テンプレートの一例を示す図である。
【００９１】
例えば、ユーザが「Ａ商品」、「Ｂ商品」、「Ｄ商品」を購入し、図１５に示す表示用テンプレート上の位置９６−１、９６−２、９６−３の縦一列の位置にポイントマークが表示された場合、携帯端末３に蓄積された販売促進用情報をデータサーバに送信し、応募するものである。つまり、記憶部３２は、例えば縦、横、斜めのいずれか一列という送信指示条件を記憶し、制御部３１は、表示用テンプレートに表示された商品の識別情報に対応するマークが、送信指示条件で定められた配列に表示される場合に、販売促進用情報をデータサーバ７に送信する。
【００９２】
また、商品のポイントマークの配列の異なる表示用テンプレートを複数用意し、ユーザに表示用テンプレートを選択させることによって、ユーザの嗜好を蓄積し、取得することができる。例えば、「Ａ商品」の配列が応募しやすい配列となっている表示用テンプレートを選択すれば、ユーザは「Ａ商品」が好みだということになる。
【００９３】
また、商品購入後も決められた回数までは表示用テンプレートを再度選択可能にしてもよい。
【００９４】
次に第５の実施形態について説明する。本発明の販売促進システムの第５の実施形態は、ユーザの嗜好情報に基づいてポイントマーク配列を定めた表示用テンプレートを表示し、特定の配列が完成された場合に応募できる、即ち、携帯端末３に蓄積された販売促進用情報をデータサーバに送信するものである。ここで特定の配列とは、例えば、ビンゴゲームのように縦、横、斜め等のポイントマークが獲得された場合とすることができる。つまり、携帯端末３は、記憶部３２に蓄積された販売促進情報に基づいて、商品の識別情報に対応するマークを表示する位置の配列を定めた表示用テンプレートを画面に表示し、記憶部３２は、例えば縦、横、斜めのいずれか一列という送信指示条件を記憶し、制御部３１は、表示用テンプレートに表示された商品の識別情報に対応するマークが、送信指示条件で定められた配列に表示される場合に、販売促進用情報をデータサーバ７に送信する。
【００９５】
図１６は、第５の実施形態における表示用テンプレートの一例を示す図である。
【００９６】
アプリケーションプログラムは蓄積されたユーザの販売促進用情報を分析し、そのユーザの嗜好情報を利用した表示用テンプレートを表示部３７に表示させる。例えば、「Ｘ商品」が販売を促進させたいキャンペーン商品であり、ユーザの好みの商品が「Ａ商品」と「Ｂ商品」であった場合、図１６に示す表示用テンプレートのように、「Ｘ商品」のポイントマーク位置を「Ａ商品」や「Ｂ商品」の配列の中に配置させることによって、「Ｘ商品」の販売を促進することが可能である。
【００９７】
次に第６の実施形態について説明する。本発明の販売促進システムの第６の実施形態は、商品ごとにポイントの倍率が定められる表示用テンプレートを表示し、ポイント数にその倍率を乗じた数の合計が指定の数以上となった場合に応募できるとするものである。
【００９８】
図１７は、第６の実施形態における表示用テンプレートの一例を示す図である。
【００９９】
図１７に示す表示用テンプレートにおいて、例えば、「Ａ商品」と「Ｂ商品」のポイントは「２倍」、販売を促進させたいキャンペーン商品である「Ｘ商品」は４倍、「Ｃ商品」は「１倍」と設定し、「Ｘ商品」の販売を促進することができる。図１７に示す表示用テンプレートでは、「Ａ商品」と「Ｂ商品」の合計ポイントが「６」ポイント、「Ｘ商品」のポイントが「４」ポイント、「Ｃ商品」のポイントが「１」ポイントであり、合計ポイントが「１１」ポイントである。これが「１２」ポイント以上となったときに応募するものである。
【０１００】
つまり、携帯端末３は、商品の識別情報に対応するマークを表示する位置及び商品ごとに乗数を定めた表示用テンプレートを画面に表示し、記憶部３２は、「１２」ポイント以上という送信指示条件を記憶し、制御部３１は、記憶部３２に蓄積された表示用テンプレートと商品の識別情報である販売促進用情報を読み込み、表示用テンプレートに表示された商品の識別情報の数と商品ごとに定められた乗数とを乗じた合計の数が、送信指示条件で定められた数と同等もしくはそれ以上である場合に、販売促進用情報を販売促進用情報サーバに送信する。
【０１０１】
次に第７の実施形態について説明する。本発明の販売促進システムの第７の実施形態は、ポイントマーク配列が定められる表示用テンプレートを表示し、特定の配列が完成された場合に応募が可能で、かつ、その配列によりユーザに付与される権利が異なるテンプレートを利用するものである。
【０１０２】
図１８は、第７の実施形態における表示用テンプレートの一例を示す図である。
【０１０３】
図１８に示す表示用テンプレートにおいて、例えば、商品のポイントマーク位置９７−１、９７−２、９７−３の縦の列のポイントを獲得すればユーザには「Ｘ賞品」が与えられ、商品のポイントマーク位置９８−１、９８−２、９８−３の横の列のポイントを獲得すれば「Ｙ賞品」が与えられるように応募するものである。
【０１０４】
つまり、記憶部３２は、縦一列ならばＸ商品、横一列ならばＹ商品という送信指示条件を記憶し、制御部３１は、表示用テンプレートに表示された商品の識別情報に対応するマークが、送信指示条件で定められた配列に表示される場合に、販売促進用情報をデータサーバ７に送信する。
【０１０５】
配列により付与される権利の内容を指定することで、どの配列をユーザが選択したかによって、ユーザの権利に対する嗜好を取得することが可能である。
【０１０６】
尚、本販売促進システムでは、携帯端末３の赤外線通信機能等を利用して、携帯端末３が記憶する商品の識別情報と、他の携帯端末が獲得した商品の識別情報とを交換し、応募に利用することが可能である。交換処理によって、交換された商品の識別情報に関する情報は、販売促進用情報として記憶部３２に記憶され、データサーバ７に送信され、ユーザの嗜好の分析等に利用される。
【０１０７】
また、本実施形態の説明では、携帯端末３が記憶部３２からアプリケーションプログラムを読み出して実行する例を示したが、携帯端末３が表示する表示用テンプレートは、例えば、携帯端末３にはインターネットブラウザ機能が備えられており、これにより表示用テンプレートの表示を行う構成としても良い。すなわち、表示部３７が表示テンプレートを表示する際、インターネットブラウザ機能がデータサーバ７にアクセスしてアプリケーションプログラムを要求・受信して実行するようにしても良い。
【０１０８】
以上説明したように、本実施の形態によれば、商品購入者であるユーザは操作の煩雑さを意識することなく、商品提供者は、コストをかけることなく、商品の販売促進効果を向上させることが可能である。
【０１０９】
以上、添付図面を参照しながら、本発明に係る販売促進システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【０１１０】
【図１】本実施の形態に係る販売促進システムの概略構成を示す図
【図２】携帯端末の概略ブロック構成図
【図３】自動販売機の概略ブロック構成図
【図４】記憶部に記憶されるデータ情報及びプログラムを示す図
【図５】販売促進システムの処理のシーケンスを示す図
【図６】ユーザ情報登録及びアプリケーションプログラムのダウンロード処理の流れを示すフローチャート
【図７】ユーザ情報登録処理の表示画面の一例を示す図
【図８】テンプレートの表示画面の一例を示す図
【図９】商品識別情報の表示処理及び応募処理の流れを示すフローチャート
【図１０】商品の識別情報に対応するマークの表示画面の一例を示す図
【図１１】応募ボタンの表示されたテンプレートの一例を示す図
【図１２】権利付与判有無定処理の流れを示すフローチャート
【図１３】テンプレートの表示画面の一例を示す図
【図１４】テンプレートの表示画面の一例を示す図
【図１５】テンプレートの表示画面の一例を示す図
【図１６】テンプレートの表示画面の一例を示す図
【図１７】テンプレートの表示画面の一例を示す図
【図１８】テンプレートの表示画面の一例を示す図
【符号の説明】
【０１１１】
１  販売促進システム
２  ネットワーク
３  携帯端末
５  自動販売機
７  データサーバ
３１  制御部
３２  記憶部
３３  通信部
３４  商品購入部
３５  ＩＣカード
３６  入力部
３７  表示部
５１  商品販売システム部
５３  非接触ＩＣカードＲ／Ｗ
５５  制御部
５７  通信部
５９  蓄積部
６１  商品販売装置
７３  記憶部
８１  ユーザ情報
８２  販売促進用情報
８３  権利付与情報
８５  アプリケーションプログラム
【図１】
2008186118.tif 000003
【図２】
2008186118.tif 000004
【図３】
2008186118.tif 000005
【図４】
2008186118.tif 000006
【図５】
2008186118.tif 000007
【図６】
2008186118.tif 000008
【図７】
2008186118.tif 000009
【図８】
2008186118.tif 000010
【図９】
2008186118.tif 000011
【図１０】
2008186118.tif 000012
【図１１】
2008186118.tif 000013
【図１２】
2008186118.tif 000014
【図１３】
2008186118.tif 000015
【図１４】
2008186118.tif 000016
【図１５】
2008186118.tif 000017
【図１６】
2008186118.tif 000018
【図１７】
2008186118.tif 000019
【図１８】
2008186118.tif 000020